(57)【要約】【課題】 発売前の新商品、特に発売前の書籍に関し、告知情報提供者が提供したい情報を、店舗に配置された分野別告知・入力媒体を通じ、あるいは、インターネットを通じて、容易にかつ低コストで顧客に告知できるシステムを提供する。【解決手段】店舗外に設けられた告知情報提供者が提供する発売前商品の情報を管理する告知情報管理装置と、店舗内の各分野別売り場に配置された、各特定分野に関連する告知手段及び入力手段を備えた分野別告知・入力媒体を管理する店舗内情報管理装置が、店舗内又は店舗外に設けられた総合情報管理装置を介して、通信ネットワークで接続されて構成される。発売前商品の情報は、発売前商品における商品内容の一部で構成することもできる。【選択図】図１
2005242942.tif 000002
【特許請求の範囲】
【請求項１】
店舗外に設けられた告知情報提供者が提供する発売前商品の情報を管理する告知情報管理装置と、店舗内の各分野別売り場に配置された、各特定分野に関連する告知手段及び入力手段を備えた分野別告知・入力媒体を管理する店舗内情報管理装置が、店舗内又は店舗外に設けられた総合情報管理装置を介して、通信ネットワークで接続されてなることを特徴とする発売前商品の告知システム。
【請求項２】
店舗外に設けられた告知情報提供者が提供する発売前商品の情報を管理する告知情報管理装置と、店舗内の各分野別売り場に配置された、各特定分野に関連する告知手段及び入力手段を備えた分野別告知・入力媒体を管理する店舗内情報管理装置と、インターネットへ提供する情報を管理するインターネット情報管理装置が、店舗内又は店舗外に設けられた総合情報管理装置を介して、通信ネットワークで接続されてなることを特徴とする発売前商品の告知システム。
【請求項３】
店舗外に設けられた告知情報提供者が提供する発売前商品の情報を管理する告知情報管理装置には、データ管理部及び商品管理部からなる告知情報用サーバが備えられ、
店舗内の各分野別売り場の中に配置された分野別告知・入力媒体である顧客用情報表示・入力端末装置には、店舗内情報管理装置と接続される通信機器が備えられ、
店舗内に設置された前記店舗内情報管理装置には、データ管理部及び商品管理部からなる店舗用サーバが備えられ、
店舗内又は店舗外に設けられた総合情報管理装置には、データ管理部及び情報管理部からなる総合サーバが備えられてなることを特徴とする請求項１に記載の発売前商品の告知システム。
【請求項４】
店舗外に設けられた告知情報提供者が提供する発売前商品の情報を管理する告知情報管理装置には、データ管理部及び商品管理部からなる告知情報用サーバが備えられ、
店舗内の各分野別売り場の中に配置された分野別告知・入力媒体である顧客用情報表示・入力端末装置には、店舗内情報管理装置と接続される通信機器が備えられ、
店舗内に設置された前記店舗内情報管理装置には、データ管理部及び商品管理部からなる店舗用サーバが備えられ、
インターネットへ提供する情報を管理するインターネット情報管理装置には、データ管理部が備えられ、
店舗内又は店舗外に設けられた総合情報管理装置には、データ管理部及び情報管理部からなる総合サーバが備えられてなることを特徴とする請求項２に記載の発売前商品の告知システム。
【請求項５】
店舗内の分野別売り場の中に配置された分野別告知・入力媒体である顧客用情報表示・入力端末装置が、１つのスペースで複数掲示できるマルチ画面を有し、かつその告知に対する顧客のアクセスデータが自動的に記録され収集・蓄積できるものであることを特徴とする請求項１〜４のいずれか１項に記載の発売前商品の告知システム。
【請求項６】
顧客用情報表示・入力端末装置が、タッチパネル式のディスプレイであり、発売前商品の情報を表示するものであることを特徴とする請求項１〜５のいずれか１項に記載の発売前商品の告知システム。
【請求項７】
顧客用情報表示・入力端末装置が、音声認識・音声出力手段を備えたものであることを特徴とする請求項１〜６のいずれか１項に記載の発売前商品の告知システム。
【請求項８】
告知情報提供者が提供する発売前商品の情報が、発売前の書籍に関するものであることを特徴とする請求項１〜７のいずれか１項に記載の発売前商品の告知システム。
【請求項９】
告知情報提供者が提供する発売前商品の情報が、発売前のコンパクトディスク又はＤＶＤに記録されて発売される音楽に関するものであることを特徴とする請求項１〜７のいずれか１項に記載の発売前商品の告知システム。
【請求項１０】
告知情報提供者が提供する発売前商品の情報が、発売前商品における商品内容の一部であることを特徴とする請求項１〜９のいずれか１項に記載の発売前商品の告知システム。
【請求項１１】
顧客用情報表示・入力端末装置が、発売前商品の情報及び、商品内容の一部を表示する発売前商品紹介画面が表示されるものであることを特徴とする請求項１〜１０に記載の発売前商品の告知システム。
【請求項１２】
告知情報管理装置が、出版社用情報管理装置であり、店舗内情報管理装置が、書店内情報管理装置であって、
前記店舗内情報管理装置と書店内情報管理装置が総合情報管理装置を介して、通信ネットワークで接続され、発売前の書籍の内容の一部が告知されるものであることを特徴とする請求項１〜１１のいずれか１項に記載の発売前商品の告知システム。
【請求項１３】
告知情報提供者が提供する発売前商品の情報が、その商品の発売後には、そのまま同商品の告知情報となし得ることを特徴とする請求項１〜１２のいずれか１項に記載の発売前商品の告知システム。
【発明の詳細な説明】
【技術分野】
【０００１】
本発明は、任意の商品に関し、発売前の新商品、特に発売前の書籍に関する情報を提供するシステムである。
【背景技術】
【０００２】
一般に、新商品や書籍の新刊に関する発売前の情報は、雑誌や新聞等の広告欄に、新商品の場合は商品名や商品の仕様、発売元、商品の写真、発売日、販売場所等、新刊の書籍の場合は書名や作者名、発行元、書籍の内容を数行にまとめたあらすじ、発売日等が掲載されて、消費者に告知される。
その他、店舗内の掲示や、発売元が提供するテレビやラジオのコマーシャル等によって、新商品や新刊に関する発売前の情報が告知されている。
そして、消費者は、それら各種の告知情報を入手した際に、記憶、メモなどに書きとめる等しておき、後刻、その商品を扱う予定の店舗に出向き、あるいは電話等でその商品を予約し、発売後に購入する。
一方、新商品や書籍の新刊の情報が入手できなかった場合には、発売された後、他の用件等でその売場に出向いた時に偶然に新商品や新刊を目にした際に、内容を確認したり、購入をする。
また、最近では、様々なサービスが提供されており、例えば、電子メールを利用し、あらかじめ購読希望者が、キーワードをデータベースに登録しておくことにより、出版社が、今後発売予定の書籍・雑誌等の内容および記事等をデータベースへ入力すると、登録されているキーワードと比較検索され、合致した場合に購読希望者へ電子メールで通知するサービスなどが開示されている。
【特許文献１】特開２００３−２０３１７４号公報
【発明の開示】
【発明が解決しようとする課題】
【０００３】
しかし、前記のサービスにおいては、あらかじめ購読希望者が、キーワードをデータベースに登録しておかなければならず、キーワードが多岐に渡る場合など、登録漏れが生じ、興味のある分野の情報がすべて入手できるわけではない。
また、雑誌や新聞等の広告欄に掲載される商品や書籍の新刊に関する発売前の情報は、紙面のスペースの問題から、当該新商品や新刊のごく僅かな情報しか掲載されておらず、消費者の注意を引きにくく、また、詳細がわからないため、興味のないものとして見送っていたり、あるいは、目に留まったとしても、詳細を発売元に問い合わせるには手間がかかるため、結果的には記憶に留める程度となってしまう。
このような場合には、運良く何かのついでに、商品や書籍の販売された後に、店頭で商品や書籍と遭遇した場合には、その商品や書籍を手にとることとなるが、わざわざその商品や書籍を購入するために売場に赴くことは少ない。
また、雑誌や新聞の広告欄に掲載された内容で、購買欲が湧いた場合には、切り抜き等を店頭で掲示することにより、その商品や書籍を予約購入することもできる。しかし、その場合には、消費者は、雑誌や新聞の広告欄に記載された内容しかわからないので、実際に商品や書籍を手にしてみるまで期待どおりのものであったのかは確認できないということになる。
また、常に新聞や雑誌等をチェックしておかなければ、それら情報を入手することはできず、一度見落とすと、情報入手が困難となる。
【０００４】
一方、雑誌や新聞等に広告を掲載するには、莫大な費用がかかり、その準備には時間を費やすことになる。大手の企業はともかく、中小の企業には未曾有の商品に対して莫大な費用をかけ、貴重な時間を費やすことは難しい。
その他、これから発売しようとしている商品や書籍が、消費者にどの程度関心を持たれているのかどうかは、商品や書籍が販売されるまでは、予想ができず、十分なマーケティングができず、発売後、反響が少なく売れ残りの在庫を抱えたり、あるいは、反響が大きく、商品や書籍が不足するということも少なくない。
【課題を解決するための手段】
【０００５】
上記に鑑み本願発明者は鋭意実験研究の結果次の手段によりこの問題を解決した。
（１）店舗外に設けられた告知情報提供者が提供する発売前商品の情報を管理する告知情報管理装置と、店舗内の各分野別売り場に配置された、各特定分野に関連する告知手段及び入力手段を備えた分野別告知・入力媒体を管理する店舗内情報管理装置が、店舗内又は店舗外に設けられた総合情報管理装置を介して、通信ネットワークで接続されてなることを特徴とする発売前商品の告知システム。
（２）店舗外に設けられた告知情報提供者が提供する発売前商品の情報を管理する告知情報管理装置と、店舗内の各分野別売り場に配置された、各特定分野に関連する告知手段及び入力手段を備えた分野別告知・入力媒体を管理する店舗内情報管理装置と、インターネットへ提供する情報を管理するインターネット情報管理装置が、店舗内又は店舗外に設けられた総合情報管理装置を介して、通信ネットワークで接続されてなることを特徴とする発売前商品の告知システム。
【０００６】
（３）店舗外に設けられた告知情報提供者が提供する発売前商品の情報を管理する告知情報管理装置には、データ管理部及び商品管理部からなる告知情報用サーバが備えられ、店舗内の各分野別売り場の中に配置された分野別告知・入力媒体である顧客用情報表示・入力端末装置には、店舗内情報管理装置と接続される通信機器が備えられ、店舗内に設置された前記店舗内情報管理装置には、データ管理部及び商品管理部からなる店舗用サーバが備えられ、店舗内又は店舗外に設けられた総合情報管理装置には、データ管理部及び情報管理部からなる総合サーバが備えられてなることを特徴とする前記（１）に記載の発売前商品の告知システム。
（４）店舗外に設けられた告知情報提供者が提供する発売前商品の情報を管理する告知情報管理装置には、データ管理部及び商品管理部からなる告知情報用サーバが備えられ、店舗内の各分野別売り場の中に配置された分野別告知・入力媒体である顧客用情報表示・入力端末装置には、店舗内情報管理装置と接続される通信機器が備えられ、店舗内に設置された前記店舗内情報管理装置には、データ管理部及び商品管理部からなる店舗用サーバが備えられ、インターネットへ提供する情報を管理するインターネット情報管理装置には、データ管理部が備えられ、店舗内又は店舗外に設けられた総合情報管理装置には、データ管理部及び情報管理部からなる総合サーバが備えられてなることを特徴とする前記（２）に記載の発売前商品の告知システム。
【０００７】
（５）店舗内の分野別売り場の中に配置された分野別告知・入力媒体である顧客用情報表示・入力端末装置が、１つのスペースで複数掲示できるマルチ画面を有し、かつその告知に対する顧客のアクセスデータが自動的に記録され収集・蓄積できるものであることを特徴とする前記（１）〜（４）のいずれか１項に記載の発売前商品の告知システム。
（６）顧客用情報表示・入力端末装置が、タッチパネル式のディスプレイであり、発売前商品の情報を表示するものであることを特徴とする前記（１）〜（５）のいずれか１項に記載の発売前商品の告知システム。
（７）顧客用情報表示・入力端末装置が、音声認識・音声出力手段を備えたものであることを特徴とする前記（１）〜（６）のいずれか１項に記載の発売前商品の告知システム。
【０００８】
（８）告知情報提供者が提供する発売前商品の情報が、発売前の書籍に関するものであることを特徴とする前記（１）〜（７）のいずれか１項に記載の発売前商品の告知システム。
（９）告知情報提供者が提供する発売前商品の情報が、発売前のコンパクトディスク又はＤＶＤに記録されて発売される音楽に関するものであることを特徴とする前記（１）〜（７）のいずれか１項に記載の発売前商品の告知システム。
（１０）告知情報提供者が提供する発売前商品の情報が、発売前商品における商品内容の一部であることを特徴とする前記（１）〜（９）のいずれか１項に記載の発売前商品の告知システム。
（１１）顧客用情報表示・入力端末装置が、発売前商品の情報及び、商品内容の一部を表示する発売前商品紹介画面が表示されるものであることを特徴とする前記（１）〜（１０）に記載の発売前商品の告知システム。
（１２）告知情報管理装置が、出版社用情報管理装置であり、店舗内情報管理装置が、書店内情報管理装置であって、前記店舗内情報管理装置と書店内情報管理装置が総合情報管理装置を介して、通信ネットワークで接続され、発売前の書籍の内容の一部が告知されるものであることを特徴とする前記（１）〜（１１）のいずれか１項に記載の発売前商品の告知システム。
（１３）告知情報提供者が提供する発売前商品の情報が、その商品の発売後には、そのまま同商品の告知情報となし得ることを特徴とする前記（１）〜（１２）のいずれか１項に記載の発売前商品の告知システム。
【発明の効果】
【０００９】
本発明の発売前商品の告知システムによれば、店舗外に設けられた告知情報提供者が提供する発売前商品の情報を管理する告知情報管理装置と、店舗内の各分野別売り場に配置された各特定分野に関連する告知手段及び入力手段を備えた分野別告知・入力媒体を管理する店舗内情報管理装置が、店舗内又は店舗外に設けられた総合情報管理装置を介して、通信ネットワークで接続されて構成されるので、店舗に訪れた発売前商品の情報を入手したい顧客が、容易に告知情報を入手することができる。
さらに、告知情報管理装置と、店舗内情報管理装置と、インターネットへ提供する情報を管理するインターネット情報管理装置とが、店舗内又は店舗外に設けられた総合情報管理装置を介して、通信ネットワークで接続されて構成されることにより、店舗に訪れた顧客だけでなく、自宅や職場などから、時間や場所に制限されることなく、発売前商品の告知情報を入手することができる。
そして、告知情報提供者が提供する情報が、発売前の書籍や、発売前のコンパクトディスク又はＤＶＤに記録されて発売される音楽に関するものなど、発売前商品の情報なので、新聞や雑誌などの情報によることなく、顧客は発売前商品の告知情報を入手することができるとともに、告知情報提供者がもっとも告知したい情報が、告知情報提供者自身から直接提供されるので、顧客は十分に発売前商品の情報を知ることができる。
さらに、顧客は、店舗内の分野別売り場に配置されたタッチパネル式のディスプレイや、音声認識・音声出力手段を備えた顧客用情報表示・入力端末装置を操作することにより、発売前商品の情報を入手できるので、簡易な操作で、かつ興味のある分野で発売される商品の情報を逃さず入手することができる。
【００１０】
一方、告知情報提供者は、告知情報管理装置内に、告知情報を登録しておくだけで、その情報に興味のある顧客からの要求に対し、十分な情報を提供できるので、低コストで、かつ容易に発売前商品の広告活動ができる。
また、本発明の発売前商品の告知システムにおける告知情報提供者が提供する発売前商品の情報は、発売前商品における商品内容の一部で構成することができるので、煩雑な手間や、膨大な費用や時間をかけることなく、顧客に告知情報を提供することができ、かつ、商品の発売後においては、その情報がそのまま、当該商品の告知情報となるので、広告費を激減させることができるとともに、その情報を欲する顧客に確実に情報を提供することができる。
【００１１】
さらに、店舗内に配置される分野別告知・入力媒体である顧客用情報表示・入力端末装置が、自動的に、顧客のアクセスデータが記録され収集・蓄積できるもので構成されているので、告知情報提供者及び店舗は、顧客がどのような分野に興味を持ち、どのような商品に関心を持っているのかを、的確に把握することができるので、発売前において、当該商品の製造数や仕入数を調整したり、発売日を変更したり、顧客の動向に即した販売活動をすることができる。
【発明を実施するための最良の形態】
【００１２】
本発明の発売前商品の告知システムを実施するための最良の形態を図に基づいて説明する。
図１は、本発明の発売前商品の告知システムの実施例を示す図であり、図２は本発明の発売前商品の告知システムの他の実施例を示す図であり、図中、１及び１’は発売前商品の告知システム、２は告知情報管理装置、３は店舗内情報管理装置、４は総合情報管理装置、５はインターネット情報管理装置、２０は告知情報用サーバ、２０ａはデータ管理部、２０ｂは商品管理部、３０は店舗用サーバ、３０ａはデータ管理部、３０ｂは商品管理部、４０は総合サーバ、４０ａはデータ管理部、４０ｂは情報管理部、５０はインターネット用サーバ、５０ａはデータ管理部、５０ｂは情報管理部である。
本発明の発売前商品の告知システム１は、発売前の新商品や書籍に関する情報を顧客に提供するシステムであり、図１の本発明の発売前商品の告知システムの実施の形態を示す図に示すように、店舗外に設けられた告知情報提供者が提供する発売前商品の情報を管理する告知情報管理装置２と、店舗内の各分野別売り場に配置された、各特定分野に関連する告知手段及び入力手段を備えた分野別告知・入力媒体を管理する店舗内情報管理装置３が、店舗内又は店舗外に設けられた総合情報管理装置４を介して、通信ネットワークで接続されて構成されるものである。
また、本発明の発売前商品の告知システム１’は、図２の発売前商品の告知システムの実施の形態の他の例を示す図に示すように、図１に示す本発明の発売前商品の告知システム１の構成にインターネットへの情報提供を含めた構成、すなわち、店舗外に設けられた告知情報提供者が提供する発売前商品の情報を管理する告知情報管理装置２と、店舗内の各分野別売り場に配置された、各特定分野に関連する告知手段及び入力手段を備えた分野別告知・入力媒体を管理する店舗内情報管理装置３と、インターネットへ提供する情報を管理するインターネット情報管理装置５とを、店舗内又は店舗外に設けられた総合情報管理装置４を介して、通信ネットワークで接続して構成することができるものである。
【００１３】
なお、前記店舗外に設けられる告知情報管理装置２には、データ管理部２０ａ及び商品管理部２０ｂからなる告知情報用サーバ２０が備えられ、前記データ管理部２０ａでは、告知情報提供者が発売前の商品の情報を蓄積・管理し、商品管理部２０ｂでは、告知情報提供者が自己の商品を管理するデータベースを構成する。
また、店舗内に設けられる店舗内情報管理装置３には、データ管理部３０ａと商品管理部３０ｂからなる店舗内サーバ３０が備えられ、前記データ管理部３０ａでは、店舗内の各分野別売場に配置された各特定分野に関連する告知手段及び入力手段を備えた分野別告知・入力媒体である顧客用情報表示・入力端末装置からの情報や、各種の情報を蓄積・管理し、商品の在庫等を管理する商品管理部３０ｂ及び、総合情報管理装置の総合サーバ４０との間で、データを交換する構成となっている。
さらに、インターネットへ提供する情報を管理するインターネット情報管理装置５には、データ管理部５０ａと情報管理部５０ｂからなるインターネット用サーバ５０が備えられ、データ管理部５０ａでは、総合情報管理装置４の総合サーバ４０を介して告知情報管理装置２及び店舗内情報管理装置３との間で交換されるデータが管理され、情報管理部５０ｂでは前記データ管理部５０ａのデータがインターネットを利用する顧客にどのように利用されるか等、各種情報の蓄積・分析等の情報管理等を行う構成となっている。
【００１４】
そして、店舗内又は店舗外に設けられる総合情報管理装置４には、データ管理部４０ａ及び、情報管理部４０ｂからなる総合サーバ４０が備えられ、告知情報管理装置２の告知情報用サーバ２０及び、店舗内情報管理装置３の店舗内サーバ３０及び、インターネット情報管理装置５のインターネット用サーバ５０との間で交換されるデータをデータ管理部４０ａで管理し、各種の情報を情報管理部４０ｂで管理する構成となっている。
【００１５】
なお、本発明における店舗内の分野別売場の中に配置された分野別告知・入力媒体は、各分野別売場に、顧客が自由に告知情報を入手でき、あるいは各種情報を入力できるように配置されるものであり、例えば、告知手段及び入力手段として、画像、音声、映像、文字情報等を表示、出力でき、かつ任意に操作、選択できるもの、例えば、ノート型パーソナルコンピュータや、通信機能を有するテレビジョンなど、告知できる画面と、音声を出力できるスピーカや、入力ができるキーボードやリモコン、マイク等を備えた顧客用情報表示・入力端末装置が挙げられる。
そして本発明における発売前商品の告知システムにおいては、顧客用情報表示・入力端末装置としては、特にタッチセンサ機能を有するタッチパネル式のディスプレイは、省スペースでかつ、予期せぬ操作による故障等が少なく、また画面に表示された任意の個所を選択し、指先等で接触するだけという簡単な操作で入力操作ができるので、最適である。
また、さらに音声認識・音声出力手段を備えた表示・入力端末装置であれば、操作の苦手な顧客や、目の不自由な顧客等にも、告知情報を提供することができるので、特に好ましいものとなる。
【００１６】
そして、本発明における店舗内の分野別売り場の中に配置される顧客用情報表示・入力装置は、１つの画面スペースで、複数の画面が掲示できるマルチ画面を有することが好ましい。
１つの画面スペースに複数の画面が掲示できることにより、同時に掲示されている画面の中から、顧客は任意の告知画面を選択することができ、顧客用情報表示・入力装置を操作する顧客は、常に、自分が所望する情報を入手できるものとなっている。
【００１７】
また、前記顧客用情報表示・入力端末装置は、通信機能を備え、店舗内情報管理装置３と通信ネットワークを介し、情報の交換ができる構成となっている。
店舗内における通信ネットワークとしては、無線又は有線の通信回線を利用し、いずれの顧客用情報表示・入力端末装置からも自由に情報の交換ができるものとなっている。特に、通信回線としては、店舗内の模様替え等、陳列棚の移動に対応しやすく、顧客用情報表示・入力端末装置の増減も容易で、配線の不要な無線によるＬＡＮシステムなどが好ましい。
そして、顧客が顧客用情報表示・入力端末装置を操作し、アクセスしたデータは、店舗内情報管理装置３の店舗内サーバ３０のデータ管理部３０ａで、記録され、収集・蓄積できるものとなっている。
顧客が顧客用情報表示・入力端末装置を操作してアクセスした情報は、すなわち、顧客の関心や興味のある情報であり、それらのアクセスデータを記録し、収集・蓄積したデータは、マーケティングデータ等として、告知情報提供者及び店舗にとっても、貴重な情報となる。
【００１８】
本発明における発売前商品の告知システムにおける告知情報提供者とは、発売前の商品の情報を提供する製造・販売等に係る者であり、例えば、書籍を提供する出版社や、コンパクトディスクやＤＶＤに音楽等を記録して販売するレコード会社、化粧品を提供する化粧品販売会社等が挙げられる。本発明の発売前商品の告知システムは、これら告知情報提供者が、自己の提供する商品が発売される前に、当該商品の情報を提供し告知することにより、発売前に顧客の動向を探り、同商品の効果的な販売戦略を図ることができるものとなっている。
そして、本発明の発売前商品の告知システムにおいては、特に、発売前商品の情報が、発売前商品における商品内容の一部で構成されることが好ましい。
例えば、書籍を提供する告知情報提供者である出版社では、書籍の制作行程の途中で作成される原稿の一部をそのまま発売前の告知情報として提供する。
また、化粧品を提供する告知情報提供者である化粧品販売会社では、プロモーション用に発売前に制作される動画データをそのまま発売前の告知情報として提供する。
そうすることにより、告知のためだけの広告用の情報を改めて作成する必要がなく、手間や時間をかけずに、最も顧客が求めている情報を簡易に提供することができる構成となっている。
【００１９】
近年は、書籍を制作する際に作成される原稿は、ワープロやパソコン等を用いて作成されるのが主流となっており、少なくとも校正の段階では原稿はデジタルデータ化されている。本発明の発売前商品の告知システムにおいては、前記デジタルデータ化された原稿の一部をそのまま出版社内に配置された告知情報管理装置２の告知情報用サーバ２０のデータ管理部２０ａに蓄積しておくことにより、店舗内に配置された顧客用表示・入力端末装置からの顧客の要求により、総合情報管理装置４を介して、前記発売前商品の告知情報を、その情報を所望する顧客に容易に提供できる構成となっている。
すなわち、本発明の発売前商品の告知システムにおける告知情報提供者は、上記のように、発売前商品の商品内容の一部を、発売前商品の告知情報とすることができる商品を扱う者には好適なものであり、前記告知情報提供者は、低コストで、煩雑さもなく、簡易に短時間に発売前商品の告知情報を提供することができる。
また、発売前商品の商品内容の一部でなくとも、例えば、商品説明用のプロモーションビデオが作成されている商品などにおいては、そのプロモーションビデオをそのまま、告知情報管理装置２内の告知情報用サーバ２０に登録しておくことにより、総合情報管理装置４を介して、その商品の情報を所望する顧客に容易に告知情報を提供することができる。
【００２０】
さらに、告知情報提供者が提供する発売前商品の情報は、その商品が発売された後には、そのまま同商品の告知情報とすることができ、発売後においても、新たに告知情報用のデータを作成する等の作業が必要なく、告知情報提供者は容易に商品の情報を提供することができるものとなっている。それら情報提供期間の管理等は、告知情報管理装置２のデータ管理部２０ａに顧客への情報提供期間を登録しておくだけでよく、煩雑な作業は必要なく、大幅な広告費の削減が図れるものとなっている。
【００２１】
なお、店舗内に設置された店舗内情報管理装置３と、店舗内又は店舗外に設置される総合情報管理装置４及び店舗外の告知情報管理装置２とを接続する通信ネットワークとを接続する通信ネットワークは、インターネット等の既存の通信回線を利用することが好ましい。
上記のごとく、本発明の発売前商品の告知システムは、告知情報提供者が提供する告知情報が集積された告知情報管理装置２と、店舗内の店舗内情報管理装置３と、インターネット情報管理装置５が、総合情報管理装置４を介して、通信ネットワークで接続され、それぞれの端末を介して、相互に発売前商品の情報を提供、入手できるシステムとなっている。
【実施例１】
【００２２】
本発明の発売前商品の告知システムの一実施例について、発売前商品を書籍とする例を図に基づいて説明する。
図３は、本発明の発売前商品の告知システムにおける一実施例のブロック図であり、図４〜図８は、本発明の発売前商品の告知システムの一実施例の説明図である。
図中、６は書籍制作工程を示し、６ａは原稿作成、６ｂは入稿、６ｃは校正、６ｄは印刷、６ｅは製本、６ｆは配本である。また、７、７Ａ、７Ｂ、７Ｃ、７Ｄは画面、７０は「発売前書籍検索」ボタン、７１は「これから発売される書籍の立ち読み」ボタン、７２は「書籍名」のボタン、７３は「次ページ」のボタンであり、７４は「書籍を購入して楽しんでください」のボタン、７５は「予約」のボタン、２００は出版社用情報管理装置であり、３００は書店内情報管理装置であり、３００ａは顧客用情報表示・入力装置である。
【００２３】
図３に示す本発明の発売前商品の告知システムにおいては、店舗外に設けられた告知情報提供者である出版社が提供する発売前の書籍の情報を管理する出版社用情報管理装置２００と、複数の店舗（書店）Ａ、Ｂ、・・・ｎの店舗内の各分野別売り場に配置された、各特定分野に関連する告知手段及び入力手段を備えた顧客用情報表示・入力装置３００ａを管理する書店内情報管理装置３００と、インターネットへ提供する情報を管理するインターネット情報管理装置５が、店舗内又は店舗外に設けられた総合情報管理装置４を介して、通信ネットワークで接続されて構成される。
【００２４】
書籍の作成を企画した出版社は、書籍制作工程６に示すように、原稿作成６ａをした後、入稿６ｂし、その後前記原稿を校正６ｃする。そして、校正が終了した後に、印刷６ｄし、製本６ｅを経て、販売場所に配本６ｆする。
ここで、前記書籍制作工程６においては、校正６ｃの段階で、当該書籍のほぼ完成に近い原稿の作成が完了している。本発明の発売前商品の告知システムにおいては、この校正６ｃの段階で、当該書籍に関する告知情報を、出版社用情報管理装置２００内の出版社用サーバ内に登録する。その際、校正６ｃが終了している原稿の、例えば、フロントページから数ページのデータをそのまま出版社用サーバ内に登録する。その他、発売日や価格、作者等の必要となる情報も一緒に登録しておく。
そして、前記出版社用サーバに登録されたデータは、総合情報管理装置４を介して、通信ネットワークで接続され、閲覧可能なものとする。
【００２５】
一方、書店に来店した顧客は、図４〜図８の本発明の発売前商品の告知システムの一実施例の説明図に示すように、任意の特定の分野に関する売場に出向き、その売り場に配置された顧客用情報表示・入力装置３００ａを操作し、発売前書籍の情報を得るために、画面７上の「発売前書籍検索」７０のボタンを選択する。
すると、画面７Ａに、各種発売前書籍の検索用のボタンが表示される。その中から、「これから発売される書籍の立ち読み」７１のボタンを選択する。前記選択により表示された画面７Ｂでは、これから発売される書籍の書籍名が掲示される。ここでは、発売日が近い順に表示されている。
これら発売される書籍の情報は、すべて、出版社が出版社用情報管理装置２００に登録した情報であり、総合情報管理装置４が、それら情報を管理し、抽出条件（発売日順）の結果情報を書店内情報管理装置３００に送信することにより、顧客用情報表示・入力装置３００ａの画面に前記情報が表示される。
【００２６】
そして、任意の「書籍名」７２のボタンを選択すると、立ち読みを彷彿させるごとく、前記書籍の一ページ目を開いた状態が表示される。これは、出版社が出版社用情報管理装置２００に登録した告知情報によって表示されるものであり、出版社が特に顧客に告知したい情報があれば、その情報が開示される。
ここでは、書籍の最初のページの情報をそのまま表示することにより、顧客にあたかも本物の書籍を立ち読みしているかの気分を与え、複数のページを進めることにより、さらに次のページも読みたくなるような告知情報となっている。
そして、次のページを読みたい顧客が、画面７Ｃ上の「次ページ」７３ボタンを選択すると、次ページが表示され、その後複数枚のページが表示された後、さらに続きを読みたい場合には、画面７Ｄに示すように「書籍を購入して楽しんでください」７４等の表示とともに当該書籍の予約ページへ進む「予約」７５ボタンが表示され、続きが読みたい顧客は、その画面から予約することができるシステムとなっている。
【００２７】
また、インターネットからも同様に、顧客が特定のホームページにアクセスすることにより、前記の店舗内の顧客用情報表示・入力装置３００ａに表示されたと同様の画面が表示され、顧客は任意の特定書籍の告知情報を入手することができ、同様に予約もできるシステムとなっている。
【００２８】
上記のように、本システムは、店舗に来店した顧客が、店舗で所望の発売前書籍や雑誌などに関し、出版社が提供する告知情報、例えば書籍のフロントページから複数ページをそのままに入手することができるので、顧客は十分に内容を理解した上で、予約等により購入することができるものとなっている。
【００２９】
一方、顧客による顧客用情報表示・入力装置３００ａの画面へのアクセスは、アクセスデータとして、店舗内情報管理装置３の店舗内サーバ３０内のデータ管理部３０ａに記録され、さらに、総合情報管理装置４のデータ管理部４０ａに送信されて記録され、収集・蓄積され、さらに前記アクセスデータは、告知情報管理装置２の告知情報用サーバ２０のデータ管理部２０ａへも送信されるので、店舗及び告知情報提供者は、顧客の動向や趣向の収集・蓄積ができ、そのデータに基づき、これから発売する商品の数量の変更や、広告方針等の検討の際に貴重な資料となるものとなっている。
【００３０】
また、上記、告知情報提供者である出版社が提供する発売前の書籍の告知情報は、発売後においては、そのまま発売後の書籍の告知情報として、前記顧客用情報表示・入力装置３００ａの操作やインターネットのホームページのアクセス操作により、顧客に情報を提供される。
すなわち、発売前商品の告知情報は、そのまま発売後の告知情報としても使えるものであり、発売後に新たに告知情報を編集、作成等することなく、書籍の内容を十分に告知できる情報となる。
【００３１】
本実施例においては、書店についての運用例を挙げて説明したが、本システムは書店に限定されるものではなく、その他のどのような店舗であっても、例えば、ビデオ・ＣＤ・ＤＶＤ等を扱うレコード店や、化粧品販売店、ドラッグストア、雑貨屋、コンビニエンスストア、レンタルショップ、自動車販売店等においても、それぞれの店舗に対応した発売前商品の告知情報を表示できる構成とすることで、本発明の発売前商品の告知システムを採用することができる。
【図面の簡単な説明】
【００３２】
【図１】本発明の発売前商品の告知システムの実施例を示す図
【図２】本発明の発売前商品の告知システムの他の実施例を示す図
【図３】本発明の発売前商品の告知システムにおける一実施例のブロック図
【図４】本発明の発売前商品の告知システムの一実施例の説明図
【図５】本発明の発売前商品の告知システムの一実施例の説明図
【図６】本発明の発売前商品の告知システムの一実施例の説明図
【図７】本発明の発売前商品の告知システムの一実施例の説明図
【図８】本発明の発売前商品の告知システムの一実施例の説明図
【符号の説明】
【００３３】
１、１’  発売前商品の告知システム
２    告知情報管理装置
３    店舗内情報管理装置
４    総合情報管理装置
５    インターネット情報管理装置
６    書籍制作工程
６ａ  原稿作成
６ｂ  入稿
６ｃ  校正
６ｄ  印刷
６ｅ  製本
６ｆ  配本
７、７Ａ、７Ｂ、７Ｃ、７Ｄ    画面
２０  告知情報用サーバ
２０ａ  データ管理部
２０ｂ  商品管理部
３０  店舗用サーバ
３０ａ  データ管理部
３０ｂ  商品管理部
４０  総合サーバ
４０ａ  データ管理部
４０ｂ  情報管理部
５０  インターネット用サーバ
５０ａ  データ管理部
５０ｂ  情報管理部
７０  「発売前書籍検索」ボタン
７１  「これから発売される書籍の立ち読み」ボタン
７２  「書籍名」ボタン
７３  「次ページ」ボタン
７４  「書籍を購入して楽しんでください」ボタン
７５  「予約」ボタン
２００  出版社用情報管理装置
３００  書店内情報管理装置
３００ａ  顧客用情報表示・入力装置
【図１】
2005242942.tif 000003
【図２】
2005242942.tif 000004
【図３】
2005242942.tif 000005
【図４】
2005242942.tif 000006
【図５】
2005242942.tif 000007
【図６】
2005242942.tif 000008
【図７】
2005242942.tif 000009
【図８】
2005242942.tif 000010